(57)【要約】【課題】光ディスクの再生時にユーザがリモコン装置等の操作キーを操作して、好みのシーンや好みの曲を選択して再生した場合に、ユーザが操作したキー操作の手順を記憶して、一度再生した光ディスクを再度再生するとき、記憶されているキー操作の手順に従って光ディスクを再生することができるようにする。【解決手段】ローディングされた光ディスクのディスク識別情報を読み出し、ディスク再生装置の動作を指令する操作キーが操作される毎に、そのキー操作の手順をディスク識別情報に対応させて記憶して、ディスク識別情報が記憶されている光ディスクがディスク再生装置にローディングされたとき、該ディスク識別情報に対応させて記憶されているキー操作の手順を読み出し、読み出されたキー操作の手順に従って指令されたディスク再生装置の動作を実行して、光ディスクを再生するようにする。【選択図】        図１
2005027114.tif 000002
【特許請求の範囲】
【請求項１】
光ディスクに記録されているコンテンツの映像音声信号を再生するディスク再生装置であって、
ディスク再生装置にローディングされた光ディスクに記録されているコンテンツの全タイトル数／全チャプタ数、全トラック数／全曲再生時間、或いは光ディスクのＢＣＡ領域に記録されているＩＤ情報をディスク識別情報として読み出す読出手段と、キー操作の手順を登録する登録モードを選択する選択手段と、前記選択手段により登録モードが選択されたとき、ディスク再生装置の動作を指令する操作キーが操作される毎に、そのキー操作の手順を前記読出手段により読み出された光ディスクのディスク識別情報に対応させて記憶する不揮発性メモリと、光ディスクがディスク再生装置にローディングされたとき、前記読出手段によりディスク識別情報を読み出し、読み出されたディスク識別情報が前記不揮発性メモリに記憶されている場合、該ディスク識別情報に対応させて前記不揮発性メモリに記憶されているキー操作の手順を読み出し、読み出されたキー操作の手順に従って指令されたディスク再生装置の動作を実行して、光ディスクを再生する制御手段とを備えたことを特徴とするディスク再生装置。
【請求項２】
光ディスクに記録されているコンテンツの映像音声信号を再生するディスク再生装置であって、
ディスク再生装置にローディングされた光ディスクを識別するディスク識別情報を読み出す読出手段と、キー操作の手順を登録する登録モードを選択する選択手段と、前記選択手段により登録モードが選択されたとき、ディスク再生装置の動作を指令する操作キーが操作される毎に、そのキー操作の手順を前記読出手段により読み出された光ディスクのディスク識別情報に対応させて記憶する記憶手段と、光ディスクがディスク再生装置にローディングされたとき、前記読出手段によりディスク識別情報を読み出し、読み出されたディスク識別情報が前記記憶手段に記憶されている場合、該ディスク識別情報に対応させて前記記憶手段に記憶されているキー操作の手順を読み出し、読み出されたキー操作の手順に従って指令されたディスク再生装置の動作を実行して、光ディスクを再生する制御手段とを備えたことを特徴とするディスク再生装置。
【請求項３】
前記ディスク識別情報は、光ディスクに記録されているコンテンツの全タイトル数／全チャプタ数であることを特徴とする請求項２記載のディスク再生装置。
【請求項４】
前記ディスク識別情報は、光ディスクに記録されているコンテンツの全トラック数／全曲再生時間であることを特徴とする請求項２記載のディスク再生装置。
【請求項５】
前記ディスク識別情報は、光ディスクのＢＣＡ領域に記録されているＩＤ情報であることを特徴とする請求項２記載のディスク再生装置。
【請求項６】
前記記憶手段は、不揮発性メモリであることを特徴とする請求項２記載のディスク再生装置。
【発明の詳細な説明】
【０００１】
【発明の属する技術分野】本発明は、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）等の光ディスクに記録されているコンテンツの映像音声信号を再生するディスク再生装置に係り、特に光ディスクの再生時に操作されたキー操作の手順を記憶して、再生時に操作されたキー操作の手順に従って光ディスクを再生する機能を有するディスク再生装置に関する。
【０００２】
【従来の技術】ＤＶＤ、ＣＤ等の光ディスクに記録されたコンテンツの映像音声信号を再生する際、ユーザの好みのシーンや好みの曲を選択して再生したい場合がある。しかし、光ディスクを再生する度に、ユーザはリモコン装置等の操作キーを操作して、好みのシーンや好みの曲を選択して光ディスクを再生しなければならないという問題点があった。
【０００３】従来の技術としては、記録媒体に記録された画質に関する設定値、音量及び音質に関する設定値、映像のチャンネルの選択、音声のチャンネルの選択、字幕言語の選択、ＤＣＳの設定値、ブックマークの位置、並びにレジューム情報のうちの少なくとも１つの再生付加情報を読み出し、読み出された再生付情報に基づいて再生環境を設定して、記録媒体に記録されたコンテンツデータを再生するようにしたものがあった（例えば、特許文献１参照）。
【０００４】また、ユーザがビデオ方式を設定した場合に、その設定内容のビデオ方式を不揮発性メモリに記憶し、所定のビデオ方式の映像信号が記録されたディスクが再生装置に装着されたときに、不揮発性メモリの内容に基づいて所定のビデオ方式の変換が設定されているか否かを判定して、ビデオ方式が設定されている場合に、当該ディスクから再生された映像信号をビデオ信号方式に変換して出力し、所定のビデオ方式が設定されていないときに、所定のビデオ方式の変換を選択設定させるようにしたものがあった（例えば、特許文献２参照）。
【０００５】
【特許文献１】特開２００３−５９１９１号公報
【特許文献２】特開２００２−２９０８９８号公報
【０００６】
【発明が解決しようとする課題】しかしながら、従来の技術で述べたもののうち前者においては、記録媒体に記録された画質に関する設定値、音量及び音質に関する設定値、映像のチャンネルの選択、音声のチャンネルの選択、字幕言語の選択、ＤＣＳの設定値、ブックマークの位置、並びにレジューム情報のうちの少なくとも１つの再生付加情報を読み出し、読み出された再生付情報に基づいて再生環境を設定して、記録媒体に記録されたコンテンツデータを再生することができたが、光ディスクを再生する度に、ユーザがリモコン装置等の操作キーを操作して、好みのシーンや好みの曲を選択して光ディスクを再生しなければならないという上記した問題点を解決するものではなかった。
【０００７】また、後者においては、ユーザがビデオ方式を設定した場合に、その設定内容のビデオ方式を不揮発性メモリに記憶し、所定のビデオ方式の映像信号が記録されたディスクが再生装置に装着されたときに、不揮発性メモリの内容に基づいて所定のビデオ方式の変換が設定されているか否かを判定して、ビデオ方式が設定されている場合に、当該ディスクから再生された映像信号をビデオ信号方式に変換して出力し、所定のビデオ方式が設定されていないときに、所定のビデオ方式の変換を選択設定させることができたが、上記同様、光ディスクを再生する度に、ユーザがリモコン装置等の操作キーを操作して、好みのシーンや好みの曲を選択して光ディスクを再生しなければならないという上記した問題点を解決するものではなかった。
【０００８】本発明は、従来の技術の有するこのような問題点に鑑みてなされたものであり、その目的とするところは、光ディスクの再生時にユーザがリモコン装置等の操作キーを操作して、好みのシーンや好みの曲を選択して再生した場合に、ユーザが操作したキー操作の手順を記憶して、一度再生した光ディスクを再度再生するとき、記憶されているキー操作の手順に従って光ディスクを再生することができるディスク再生装置を提供しようとするものである。
【０００９】
【課題を解決するための手段】上記目的を達成するため本発明においては、光ディスクに記録されているコンテンツの映像音声信号を再生するディスク再生装置であって、ディスク再生装置にローディングされた光ディスクを識別するディスク識別情報を読み出す読出手段と、キー操作の手順を登録する登録モードを選択する選択手段と、前記選択手段により登録モードが選択されたとき、ディスク再生装置の動作を指令する操作キーが操作される毎に、そのキー操作の手順を前記読出手段により読み出された光ディスクのディスク識別情報に対応させて記憶する記憶手段と、光ディスクがディスク再生装置にローディングされたとき、前記読出手段によりディスク識別情報を読み出し、読み出されたディスク識別情報が前記記憶手段に記憶されている場合、該ディスク識別情報に対応させて前記記憶手段に記憶されているキー操作の手順を読み出し、読み出されたキー操作の手順に従って指令されたディスク再生装置の動作を実行して、光ディスクを再生する制御手段とを備える。
【００１０】前記ディスク識別情報は、光ディスクに記録されているコンテンツの全タイトル数／全チャプタ数とするとよい。
【００１１】また、前記ディスク識別情報は、光ディスクに記録されているコンテンツの全トラック数／全曲再生時間とするとよい。
【００１２】また、前記ディスク識別情報は、光ディスクのＢＣＡ領域に記録されているＩＤ情報とするとよい。
【００１３】前記記憶手段は、不揮発性メモリとするとよい。
【００１４】これらの手段により、光ディスクの再生時にユーザがリモコン装置等の操作キーを操作して、好みのシーンや好みの曲を選択して再生した場合に、ユーザが操作したキー操作の手順を記憶して、一度再生した光ディスクを再度再生するとき、記憶されているキー操作の手順に従って光ディスクを再生することができる。
【００１５】
【発明の実施の形態】以下、適宜図面を参照しながら本発明の実施の形態を詳述する。図１は本発明の実施の形態に係るディスク再生装置の構成を示すブロック図であり、図２は本発明の実施の形態に係るディスク再生装置のリモコン装置を示す説明図であり、図３は光ディスクのＢＣＡと信号記録領域とを示す説明図であり、図４は本発明の実施の形態に係るディスク再生装置の動作を示すフローチャートであり、図５は本発明の実施の形態に係るディスク再生装置の動作を示すフローチャートである。
【００１６】まず、図１の本発明の実施の形態に係るディスク再生装置の構成を示すブロック図を基に説明する。
【００１７】ディスク再生装置１は、光ディスク２に記録されている映像音声信号を光学的に読み出す光ピックアップ３と、光ディスク２を回転させるスピンドルモータ４と、スピンドルモータ４を駆動し、光ピックアップ３を光ディスク２の半径方向に移動させるスレッドモータ（図示せず）を駆動して、光ピックアップ３のフォーカスとトラッキングとを制御するサーボ回路５と、光ピックアップ３により読み出された映像音声信号を基準クロックに基づいて同期検出し、アナログ信号の映像音声信号をデジタル信号に変換する同期検出／ＡＤ変換回路６と、デジタル信号に変換された映像音声信号を復調し、復調された映像音声信号の誤りを訂正する復調／誤り訂正回路７と、所定の圧縮方式に基づいて圧縮された映像音声信号を伸張して、元の映像音声信号に復号するデコーダ８と、復号された映像音声信号を所定の信号方式に従った映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化し、符号化された映像音声信号をアナログ信号の映像音声信号に変換するエンコーダ／ＤＡ変換回路９と、文字情報信号を映像信号に重畳して、文字情報をモニタ装置３０に表示するＯＳＤ（Ｏｎ−ＳｃｒｅｅｎＣｈａｒａｃｔｅｒ  Ｄｉｓｐｌａｙ）回路１０と、ディスク再生装置１のシステム全体を制御するマイコン１１と、ディスク情報等を記憶する不揮発性メモリであるＥＥＰＲＯＭ（Ｅｌｅｃｔｒｉｃａｌｌｙ  Ｅｒａｓａｂｌｅ  ａｎｄＰｒｏｇｒａｍｍａｂｌｅ  Ｒｅａｄ‐Ｏｎｌｙ  Ｍｅｍｏｒｙ）１２と、リモコン装置２０から送信された赤外線信号のリモコン信号を受信して、所定の電気信号に変換するリモコン受信部１３とで構成されている。
【００１８】リモコン装置２０には、図２に示すように、ディスク再生装置１の各種モードを設定するメニュ画面の表示を指令するメニュキー２０ａ、メニュ画面に表示された選択項目を選択するカーソルキー２０ｂ、タイトル番号／チャプタ番号／トラック番号を入力するテンキー２０ｃ、光ディスク２の再生を指令する再生キー２０ｄ、光ディスク２の再生停止を指令する停止キー２０ｅ、タイトル番号／チャプタ番号／トラック番号のスキップを指令する前スキップキー２０ｆと次スキップキー２０ｇ、光ディスクの再生の一時停止を指令する一時停止キー２０ｈ、映像のアングル変更を指令するアングルキー２０ｉ、音量変更を指令する音量キー２０ｊ、光ディスクの取り出しを指令する取出キー２０ｋ等の複数の操作キーが設けられていて、それらの操作キーを操作することによりディスク再生装置１を所望動作させることができるようになっている。
【００１９】以上のように構成されたディスク再生装置について、以下その動作について説明する。
【００２０】光ディスク２がディスク再生装置１にローディングされると、マイコン１１は、サーボ回路５に制御信号を送出して、ローディングされた光ディスク２の最内周のＢＣＡ（Ｂｕｒｓｔ  Ｃｕｔｔｉｎｇ  Ａｒｅａ）２ａ（図３参照）にバーコード形式で円周方向に記録されている光ディスクのＩＤ（Ｉｄｅｎｔｉｆｉｃａｔｉｏｎ）情報、及び光ディスク２の信号記録領域２ｂ（図３参照）に記録されているコンテンツの全タイトル数／全チャプタ数、或いは光ディスク２の信号記録領域２ｂ（図３参照）の内周のリードイン領域のＴＯＣ（Ｔａｂｌｅ  ｏｆ  Ｃｏｎｔｅｎｔｓ）に記録されているコンテンツの全トラック数／全曲再生時間を光ピックアップ３により読み出す。
【００２１】リモコン装置２０のメニュキー２０ａによりモニタ装置３０の画面に表示されたメニュ画面（図示せず）のキー操作の手順を記憶する登録モードが選択されると、マイコン１１は、ＩＤ情報が記録されている光ディスクの場合は、光ディスク２から読み出されたＩＤ情報を光ディスク２のディスク識別情報としてＥＥＰＲＯＭ１２に記憶し、ＩＤ情報が記録されていない光ディスクの場合は、光ディスク２から読み出されたコンテンツの全タイトル数／全チャプタ数、或いはコンテンツの全トラック数／全曲再生時間を光ディスク２のディスク識別情報としてＥＥＰＲＯＭ１２に記憶する。例えば、全タイトル数２８、全チャプタ数５７のＤＶＤの場合、ディスク識別情報として「ＤＶＤ−２８−５７」をＥＥＰＲＯＭ１２に記憶する。また、全トラック数１４、全曲再生時間７５分１８秒のＣＤの場合、ディスク識別情報として「ＣＤ−１４−７５１８」をＥＥＰＲＯＭ１２に記憶する。
【００２２】登録モードが選択されている場合、光ディスク２の再生中に、ユーザがリモコン装置２０の操作キー２０ｂ〜２０ｊを操作して、好みのシーンや好みの曲等を選択すると、マイコン１１は、操作されたリモコン装置２０の操作キー２０ｂ〜２０ｊのキー操作をディスク情報に対応させてＥＥＰＲＯＭ１２に順次記憶して、リモコン装置２０の操作キーの操作により指令されたディスク再生装置１の動作を実行する。そして、リモコン装置２０の取出キー２０ｋのキー操作により光ディスク２の取り出しが指令されると、マイコン１１は、光ディスク２をディスク再生装置１から取り出す。
【００２３】登録モードが選択されていない場合、マイコン１１は、キー操作の手順をディスク再生装置１のＥＥＰＲＯＭ１２に記憶しない通常モードに移行して、リモコン装置２０の操作キー２０ａ〜２０ｋの操作により指令されたディスク再生装置１の動作を実行する。
【００２４】光ディスク２がディスク再生装置１にローディングされると、マイコン１１は、サーボ回路５に制御信号を送出して、ローディングされた光ディスク２のディスク識別情報を光ピックアップ３により読み出し、光ディスク２から読み出されたディスク識別情報がＥＥＰＲＯＭ１２に記憶されているか否かを判別して、光ディスク２から読み出されたディスク識別情報がＥＥＰＲＯＭ１２に記憶されている場合、光ディスク２のディスク識別情報に対応してＥＥＰＲＯＭ１２に記憶されているキー操作の手順を読み出し、読み出したキー操作の手順に従って指令されたディスク再生装置１の動作を実行する。そして、マイコン１１は、ＥＥＰＲＯＭ１２に記憶されているキー操作の手順が終了するか、リモコン装置２０の停止キーが操作されるまで、ＥＥＰＲＯＭ１２に記憶されているキー操作の手順に従って指令されたディスク再生装置１の動作を続行する。
【００２５】なお、光ディスク２から読み出されたディスク識別情報がＥＥＰＲＯＭ１２に登録されていない場合、マイコン１１は、キー操作の手順を再現しない通常モードに移行して、リモコン装置２０の操作キー２０ａ〜２０ｋの操作により指令されたディスク再生装置１の動作を実行する。
【００２６】また、図４の本発明の実施の形態に係るディスク再生装置の動作を示すフローチャートを基に説明する。
【００２７】光ディスクがディスク再生装置にローディングされると、ステップＳ１からステップＳ２に進み、ステップＳ２で、ディスク再生装置にローディングされた光ディスクのディスク識別情報が読み出されて、ステップＳ３に進む。
【００２８】ステップＳ３で、キー操作の手順をディスク再生装置のメモリに記憶する登録モードが選択されたか否かが判断され、登録モードが選択された場合、ステップＳ４に進み、登録モードが選択されていない場合、ステップＳ９に進んで処理を終了して、キー操作の手順をディスク再生装置のメモリに記憶しない通常モード（図示せず）に移行する。
【００２９】ステップＳ４で、光ディスクから読み出された光ディスクのディスク識別情報がメモリに記憶され、ステップＳ５に進む。
【００３０】ステップＳ５で、リモコン装置のキーが操作されたか否かが判断され、リモコン装置のキーが操作された場合、ステップＳ６に進み、リモコン装置のキーが操作されていない場合、ステップＳ７に進む。
【００３１】ステップＳ６で、操作されたリモコン装置のキー操作がディスク情報に対応させてメモリに記憶され、リモコン装置のキー操作により指令された動作が実行されて、ステップＳ７に進む。
【００３２】ステップＳ７で、リモコン装置の取出キーが操作されたか否かが判断され、リモコン装置の取出キーが操作された場合、ステップＳ８に進み、リモコン装置の取出キーが操作されていない場合、ステップＳ５に戻って、ステップＳ５からステップＳ７のステップを繰り返す。
【００３３】ステップＳ８で、光ディスクがディスク再生装置から取り出されて、ステップＳ８に進んで処理を終了する。
【００３４】また、図５の本発明の実施の形態に係るディスク再生装置の動作を示すフローチャートを基に説明する。
【００３５】光ディスクがディスク再生装置にローディングされると、ステップＳ１１からステップＳ１２に進み、ディスク再生装置にローディングされた光ディスクのディスク識別情報が読み出されて、ステップＳ１３に進む。
【００３６】ステップＳ１３で、光ディスクから読み出された光ディスクのディスク識別情報がディスク再生装置のメモリに記憶されているか否かが判断され、光ディスクから読み出されたディスク識別情報がメモリに記憶されている場合、ステップＳ１４に進み、光ディスクから読み出されたディスク識別情報がメモリに記憶されていない場合、ステップＳ１７に進んで処理を終了し、キー操作の手順を再現しない通常モード（図示せず）に移行する。
【００３７】ステップＳ１４で、ディスク識別情報に対応してメモリに記憶されているキー操作の手順が読み出されて、キー操作の手順に従って指令された動作が実行され、ステップＳ１５に進む。
【００３８】ステップＳ１５で、リモコン装置の停止キーが操作されたか否かが判断され、リモコン装置の停止キーが操作された場合、ステップＳ１７に進んで処理を終了する。
【００３９】ステップＳ１６で、メモリに記憶されているキー操作の手順が終了したか否かが判断され、キー操作の手順が終了した場合、ステップＳ１７に進んで処理を終了し、キー操作の手順が終了していない場合、ステップＳ１４に戻って、ステップＳ１４からステップＳ１６のステップを繰り返す。
【００４０】以上、本発明の実施の形態について詳述したが、本発明はこれに限らず、当業者の通常の知識の範囲内でその変形や改良が可能である。例えば、リモコン装置に設けられた操作キーを操作してディスク再生装置を所望動作させることを説明したが、ディスク再生装置の操作パネルに設けられた操作キーを操作してディスク再生装置を所望動作させるようにしてもよい。
【００４１】
【発明の効果】以上説明してきたように、本発明によるディスク再生装置にディスク再生装置にローディングされた光ディスクに記録されているコンテンツの全タイトル数／全チャプタ数、全トラック数／全曲再生時間、或いは光ディスクのＢＣＡ領域に記録されているＩＤ情報をディスク識別情報として読み出し、キー操作の手順を登録する登録モードが選択されたとき、ディスク再生装置の動作を指令する操作キーが操作される毎に、そのキー操作の手順を光ディスクのディスク識別情報に対応させてＥＥＰＲＯＭに記憶して、光ディスクがディスク装置にローディングされたとき、ローディングされた光ディスクのディスク識別情報を読み出し、読み出されたディスク識別情報がＥＥＰＲＯＭに記憶されている場合、該ディスク識別情報に対応させてＥＥＰＲＯＭに記憶されているキー操作の手順を読み出し、読み出されたキー操作の手順に従って指令されたディスク再生装置の動作を実行して、光ディスクを再生することができる。このことにより、光ディスクの再生時にユーザがリモコン装置等の操作キーを操作して、好みのシーンや好みの曲を選択して再生した場合に、ユーザが操作したキー操作の手順を記憶して、一度再生した光ディスクを再度再生するとき、記憶されているキー操作の手順に従って光ディスクを再生することができる。
【００４２】請求項１記載の発明に係るディスク再生装置は、ディスク再生装置にローディングされた光ディスクに記録されているコンテンツの全タイトル数／全チャプタ数、全トラック数／全曲再生時間、或いは光ディスクのＢＣＡ領域に記録されているＩＤ情報をディスク識別情報として読み出し、キー操作の手順を登録する登録モードが選択されたとき、ディスク再生装置の動作を指令する操作キーが操作される毎に、そのキー操作の手順を光ディスクのディスク識別情報に対応させて不揮発性メモリに記憶して、光ディスクがディスク再生装置にローディングされたとき、ディスク識別情報を読み出し、読み出されたディスク識別情報が不揮発性メモリに記憶されている場合、該ディスク識別情報に対応させて不揮発性メモリに記憶されているキー操作の手順を読み出し、読み出されたキー操作の手順に従って指令されたディスク再生装置の動作を実行して、光ディスクを再生するようにしているので、光ディスクの再生時にユーザがリモコン装置等の操作キーを操作して、好みのシーンや好みの曲を選択して再生した場合に、ユーザが操作したキー操作の手順を記憶して、一度再生した光ディスクを再度再生するとき、記憶されているキー操作の手順に従って光ディスクを再生することができる。
【００４３】請求項２記載の発明に係るディスク再生装置は、ディスク再生装置にローディングされた光ディスクを識別するディスク識別情報を読み出し、キー操作の手順を登録する登録モードが選択されたとき、ディスク再生装置の動作を指令する操作キーが操作される毎に、そのキー操作の手順を光ディスクのディスク識別情報に対応させて記憶して、光ディスクがディスク再生装置にローディングされたとき、ディスク識別情報を読み出し、読み出されたディスク識別情報が記憶されている場合、該ディスク識別情報に対応させて記憶されているキー操作の手順を読み出し、読み出されたキー操作の手順に従って指令されたディスク再生装置の動作を実行して、光ディスクを再生するようにしているので、光ディスクの再生時にユーザがリモコン装置等の操作キーを操作して、好みのシーンや好みの曲を選択して再生した場合に、ユーザが操作したキー操作の手順を記憶して、一度再生した光ディスクを再度再生するとき、記憶されているキー操作の手順に従って光ディスクを再生することができる。
【００４４】請求項３記載の発明に係るディスク再生装置は、光ディスクに記録されているコンテンツの全タイトル数／全チャプタ数をディスク識別情報としているので、光ディスクのＢＣＡ領域にＩＤ情報が記録されていない光ディスクであってもディスクを識別することができる。
【００４５】請求項４記載の発明に係るディスク再生装置は、光ディスクに記録されているコンテンツの全トラック数／全曲再生時間をディスク識別情報としているので、光ディスクのＢＣＡ領域にＩＤ情報が記録されていない光ディスクであってもディスクを識別することができる。
【００４６】請求項５記載の発明に係るディスク再生装置は、光ディスクのＢＣＡ領域に記録されているＩＤ情報をディスク識別情報としているので、光ディスクを容易に識別することができる。
【００４７】請求項６記載の発明に係るディスク再生装置は、ディスク識別情報とキー操作の手順とを不揮発性メモリに記憶するようにしているので、ディスク再生装置の電源がＯＦＦになっても、ディスク識別情報とキー操作の手順との記憶しておくことができる。
【図面の簡単な説明】
【図１】本発明の実施の形態に係るディスク再生装置の構成を示すブロック図である。
【図２】本発明の実施の形態に係るディスク再生装置のリモコン装置を示す説明図である。
【図３】光ディスクのＢＣＡと信号記録領域とを示す説明図である。
【図４】本発明の実施の形態に係るディスク再生装置の動作を示すフローチャートである。
【図５】本発明の実施の形態に係るディスク再生装置の動作を示すフローチャートである。
【符号の説明】
１  ディスク再生装置
２  光ディスク
２ａ  ＢＣＡ
２ｂ  信号記録領域
３  光ピックアップ
４  スピンドルモータ
５  サーボ回路
６  同期検出／ＡＤ変換回路
７  復調／誤り訂正回路
８  デコーダ
９  エンコーダ／ＤＡ変換回路
１０  ＯＳＤ回路
１１  マイコン
１２  ＥＥＰＲＯＭ
１３  リモコン受信部
２０  リモコン装置
２０ａ〜２０ｋ  操作キー
３０  モニタ装置
【図１】
2005027114.tif 000003
【図２】
2005027114.tif 000004
【図３】
2005027114.tif 000005
【図４】
2005027114.tif 000006
【図５】
2005027114.tif 000007